(57)【要約】【課題】加湿を容易に行える構造を提供できることが望ましい。【解決手段】保液部材が配置される空洞を有するフレームと、保液部材が空洞内と空洞外との間を移動することを可能にする可能状態と、空洞内に配置された保液部材が空洞外に移動することを防止する防止状態とが切り替わる切替部材と、フレームが顔部に装着されている場合に、空洞から顔部へ気体を透過させる気体透過部とを備え、切替部材は、保液部材を保持することなく移動することによって、可能状態と防止状態とが切り替わる、アイウエア。【選択図】図１
2019061153.tif 000002
【特許請求の範囲】
【請求項１】
保液部材が配置される空洞を有するフレームと、
前記保液部材が前記空洞内と前記空洞外との間を移動することを可能にする可能状態と、前記空洞内に配置された前記保液部材が前記空洞外に移動することを防止する防止状態とが切り替わる切替部材と、
前記フレームが顔部に装着されている場合に、前記空洞から前記顔部へ気体を透過させる気体透過部と
を備え、
前記切替部材は、前記保液部材を保持することなく移動することによって、前記可能状態と前記防止状態とが切り替わる、アイウエア。
【請求項２】
前記切替部材は、前記フレームが有する軸に対して回転移動することによって前記可能状態と前記防止状態とが切り替わる、請求項１に記載のアイウエア。
【請求項３】
前記切替部材は、前記フレームが有するヒンジによって、前記保液部材が前記空洞内と前記空洞外との間を移動することを可能にする位置と、前記空洞内に配置された前記保液部材が前記空洞外に移動することを防止する位置との間で可動に支持される、請求項２に記載のアイウエア。
【請求項４】
前記切替部材は、前記フレームの智部または前記フレームのテンプルに配置され、
前記テンプルは、前記ヒンジによって、前記智部に対して可動に前記智部に支持され、
前記切替部材および前記テンプルは、前記ヒンジによって共通の支軸の回りに回転可能に支持される、請求項３に記載のアイウエア。
【請求項５】
前記切替部材および前記テンプルは、前記支軸の回りに独立して回転する
請求項４に記載のアイウエア。
【請求項６】
前記空洞および前記切替部材は、前記フレームの智部の内側に配置され、
前記気体透過部は、前記切替部材を貫通する開口部である、請求項３に記載のアイウエア。
【請求項７】
前記切替部材は、前記ヒンジに支持されている第１端部とは反対側の第２端部に、前記第１端部の方向に突出した爪部を有する、請求項６に記載のアイウエア。
【請求項８】
前記空洞および切替部材は、前記フレームのテンプルの内側に配置され、
前記気体透過部は、前記切替部材を貫通する開口である、請求項３に記載のアイウエア。
【請求項９】
前記空洞および切替部材は、前記フレームの智部の外側に配置され、
前記気体透過部は、前記空洞と前記智部の内側との間を貫通する開口である、請求項３に記載のアイウエア。
【請求項１０】
前記空洞および切替部材は、前記フレームのテンプルの外側に配置され、
前記気体透過部は、前記空洞と前記テンプルの内側との間を貫通する開口である、請求項３に記載のアイウエア。
【請求項１１】
前記空洞は、前記フレームの智部の内側または外側に配置された第１空洞と、前記フレームのテンプルの内側または外側に配置された第２空洞とを含み、
前記切替部材は、前記フレームの智部の内側または外側に配置された第１切替部材と、前記フレームのテンプルの内側または外側に配置された第２切替部材とを含む、請求項３に記載のアイウエア。
【請求項１２】
前記第１空洞および前記第１切替部材は、前記智部の内側に配置され、
前記第２空洞および前記第２切替部材は、前記テンプルの内側に配置され、
前記気体透過部は、前記第１切替部材を貫通する第１開口と、前記第２切替部材を貫通する第２開口とを含む、請求項１１に記載のアイウエア。
【請求項１３】
前記空洞は、前記フレームの智部に配置され、
前記切替部材は、前記智部に配置されて前記フレームのリムと前記空洞との間に位置する軸によって、前記保液部材が前記空洞内と前記空洞外との間を移動することを可能にする位置と、前記空洞内に配置された前記保液部材が前記空洞外に移動することを防止する位置との間で可動に支持される、請求項２に記載のアイウエア。
【請求項１４】
前記切替部材は、前記空洞に対してスライドすることによって前記可能状態と前記防止状態とが切り替わる、請求項１に記載のアイウエア。
【請求項１５】
前記空洞は、前記フレームの智部に配置され、
前記切替部材は、前記智部の表面を、前記フレームのリムから前記智部が突き出る方向に沿ってスライドする、請求項１４に記載のアイウエア。
【請求項１６】
前記空洞は、前記智部の内側に配置され、
前記切替部材は、前記智部の内側表面に沿ってスライドし、
前記気体透過部は、前記切替部材を貫通する開口である、請求項１５に記載のアイウエア。
【請求項１７】
前記空洞は、前記智部の外側に配置され、
前記切替部材は、前記智部の外側表面に沿ってスライドし、
前記気体透過部は、前記空洞と前記智部の内側との間を貫通する開口である、請求項１５に記載のアイウエア。
【請求項１８】
前記空洞は、前記フレームのテンプルに配置され、
前記切替部材は、前記テンプルの表面を、前記テンプルの長手方向に沿ってスライドする、請求項１４に記載のアイウエア。
【請求項１９】
前記空洞は、前記テンプルの内側に配置され、
前記切替部材は、前記テンプルの内側表面に沿ってスライドし、
前記気体透過部は、前記切替部材を貫通する開口である、請求項１８に記載のアイウエア。
【請求項２０】
前記空洞は、前記テンプルの外側に配置され、
前記切替部材は、前記テンプルの外側表面に沿ってスライドし、
前記気体透過部は、前記空洞と前記テンプルの内側との間を貫通する開口である、請求項１８に記載のアイウエア。
【発明の詳細な説明】
【技術分野】
【０００１】
本発明は、アイウエアに関する。
【背景技術】
【０００２】
液体を保持する液体容器を取り付けたメガネが知られている（例えば、特許文献１、特許文献２参照。）。
［先行技術文献］
［特許文献］
［特許文献１］特開２０１２−１３７６９４号公報
［特許文献２］特開２０１５−０８４０６７号公報
【発明の概要】
【発明が解決しようとする課題】
【０００３】
メガネを装着した装着者の顔部に対する加湿を容易に行える構造を提供できることが望ましい。
【課題を解決するための手段】
【０００４】
本発明の第１の態様によれば、アイウエアが提供される。アイウエアは、保液部材が配置される空洞を有するフレームを備えてよい。アイウエアは、保液部材が空洞内と空洞外との間を移動することを可能にする可能状態と、空洞内に配置された保液部材が空洞外に移動することを防止する防止状態とが切り替わる切替部材を備えてよい。アイウエアは、フレームが顔部に装着されている場合に、空洞から顔部へ気体を透過させる気体透過部を備えてよい。切替部材は、保液部材を保持することなく移動することによって、可能状態と防止状態とが切り替わってよい。
【０００５】
上記切替部材は、上記フレームが有する軸に対して回転移動することによって上記可能状態と上記防止状態とが切り替わってよい。上記切替部材は、上記フレームが有するヒンジによって、上記保液部材が上記空洞内と上記空洞外との間を移動することを可能にする位置と、上記空洞内に配置された上記保液部材が上記空洞外に移動することを防止する位置との間で可動に支持されてよい。上記切替部材は、上記フレームの智部または上記フレームのテンプルに配置されてよく、上記テンプルは、上記ヒンジによって、上記智部に対して可動に上記智部に支持されてよく、上記切替部材および上記テンプルは、上記ヒンジによって共通の支軸の回りに回転可能に支持されてよい。上記切替部材および上記テンプルは、上記支軸の回りに独立して回転してよい。
【０００６】
上記空洞および上記切替部材は、上記フレームの智部の内側に配置されてよく、上記気体透過部は、上記切替部材を貫通する開口部であってよい。上記切替部材は、上記ヒンジに支持されている第１端部とは反対側の第２端部に、上記第１端部の方向に突出した爪部を有してよい。
【０００７】
上記空洞および切替部材は、上記フレームのテンプルの内側に配置されてよく、上記気体透過部は、上記切替部材を貫通する開口であってよい。上記空洞および切替部材は、上記フレームの智部の外側に配置されてよく、上記気体透過部は、上記空洞と上記智部の内側との間を貫通する開口であってよい。上記空洞および切替部材は、上記フレームのテンプルの外側に配置されてよく、上記気体透過部は、上記空洞と上記テンプルの内側との間を貫通する開口であってよい。
【０００８】
上記空洞は、上記フレームの智部の内側または外側に配置された第１空洞と、上記フレームのテンプルの内側または外側に配置された第２空洞とを含んでよく、上記切替部材は、上記フレームの智部の内側または外側に配置された第１切替部材と、上記フレームのテンプルの内側または外側に配置された第２切替部材とを含んでよい。上記第１空洞および上記第１切替部材は、上記智部の内側に配置されてよく、上記第２空洞および上記第２切替部材は、上記テンプルの内側に配置されてよく、上記気体透過部は、上記第１切替部材を貫通する第１開口と、上記第２切替部材を貫通する第２開口とを含んでよい。上記空洞は、上記フレームの智部に配置されてよく、上記切替部材は、上記智部に配置されて上記フレームのリムと上記空洞との間に位置する軸によって、上記保液部材が上記空洞内と上記空洞外との間を移動することを可能にする位置と、上記空洞内に配置された上記保液部材が上記空洞外に移動することを防止する位置との間で可動に支持されてよい。
【０００９】
上記切替部材は、上記空洞に対してスライドすることによって上記可能状態と上記防止状態とが切り替わってよい。上記空洞は、上記フレームの智部に配置されてよく、上記切替部材は、上記智部の表面を、上記フレームのリムから上記智部が突き出る方向に沿ってスライドしてよい。上記空洞は、上記智部の内側に配置されてよく、上記切替部材は、上記智部の内側表面に沿ってスライドしてよく、上記気体透過部は、上記切替部材を貫通する開口であってよい。上記空洞は、上記智部の外側に配置されてよく、上記切替部材は、上記智部の外側表面に沿ってスライドしてよく、上記気体透過部は、上記空洞と上記智部の内側との間を貫通する開口であってよい。上記空洞は、上記フレームのテンプルに配置されてよく、上記切替部材は、上記テンプルの表面を、上記テンプルの長手方向に沿ってスライドしてよい。上記空洞は、上記テンプルの内側に配置されてよく、上記切替部材は、上記テンプルの内側表面に沿ってスライドしてよく、上記気体透過部は、上記切替部材を貫通する開口であってよい。上記空洞は、上記テンプルの外側に配置されてよく、上記切替部材は、上記テンプルの外側表面に沿ってスライドしてよく、上記気体透過部は、上記空洞と上記テンプルの内側との間を貫通する開口であってよい。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】メガネ１００の一例を概略的に示す。
【図２】智部１２４の内側構成の一例を概略的に示す。
【図３】智部１２４の内側構成の一例を概略的に示す。
【図４】蓋部１４０の一例を概略的に示す。
【図５】空洞１３１の一例を概略的に示す。
【図６】空洞１３１の一例を概略的に示す。
【図７】テンプル１２６の内側構成の一例を概略的に示す。
【図８】テンプル１２６の内側構成の一例を概略的に示す。
【図９】智部１２４の外側構成の一例を概略的に示す。
【図１０】智部１２４の外側構成の一例を概略的に示す。
【図１１】テンプル１２６の外側構成の一例を概略的に示す。
【図１２】テンプル１２６の外側構成の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。以下、図面を参照して、実施形態について説明するが、図面の記載において、同一または類似の部分には同一の参照番号を付して重複する説明を省く場合がある。なお、図面は模式的なものであり、厚みと平面寸法との関係、比率等は現実のものとは異なる場合がある。また、説明の都合上、図面相互間においても互いの寸法の関係または比率が異なる部分が含まれる場合がある。
【００１３】
図１は、一実施形態に係るメガネ１００の一例を概略的に示す。メガネ１００は、一対のレンズ１１０と、フレーム１２０とを備える。メガネ１００およびフレーム１２０は、アイウエアの一例である。メガネ１００は、装着者の目の周辺に装着される装具である。
【００１４】
フレーム１２０は、ノーズパッド１２１、リム１２２、ブリッジ１２３、智部１２４、フード１２５、テンプル１２６、およびヒンジ１２７を有する。ノーズパッド１２１は、フレーム１２０が装着者の顔部に装着された場合に、顔部の鼻に当接する。フレーム１２０が装着者の顔部に装着された場合に、ノーズパッド１２１は装着者の顔部に対してフレーム１２０を位置決めする。ブリッジ１２３は、一対のリム１２２の間に位置する。
【００１５】
リム１２２は、レンズ１１０を保持する。レンズ１１０は、装着者の目の屈折異常を補正するレンズであってよい。レンズ１１０としては近視矯正用レンズ、遠視矯正用レンズ等を例示できる。レンズ１１０は、リム１２２に保持される光学部材の一例である。光学部材は、メガネ１００の使用目的に応じた光学特性を有する。例えば、光学部材は、レンズ機能に加えて、特定波長域の光を選択的に透過する波長選択特性を有してよい。なお、光学部材は、レンズ機能を有しなくてもよい。例えば、光学部材の屈折力は実質的に０であってよい。この場合、装着者の目の屈折異常は実質的に補正されない。すなわち、装着者の視力は矯正されない。
【００１６】
フード１２５は、リム１２２から装着者方向に延びる。フード１２５は、リム１２２と一体であってもよく、また、別体であってもよい。フレーム１２０は、フード１２５を有さなくてもよい。
【００１７】
ヨロイとも呼ばれる智部１２４は、リム１２２の端部に配置される。テンプル１２６は、ヒンジ１２７によって智部１２４に対して可動に支持される。一対のテンプル１２６は、装着者の頭部を挟み込む。
【００１８】
本実施形態に係るフレーム１２０は、保液シート２００が配置される空洞１３１を有する。保液シート２００は、保液部材の一例である。保液シート２００は、液体を保持する。保液シート２００が保持する液体としては、水が例示できる。保液シート２００の材料としては、フェルト、紙、海綿、スポンジ、吸水性ポリマー、ハイドロゲルなどの保液性または吸水性を有する材料を例示することができる。保液シート２００は、抗菌仕様であってよい。保液シート２００は、防カビ仕様であってよい。図１では、空洞１３１が智部１２４の内側に配置されている例を示す。
【００１９】
空洞１３１内に配置された保液シート２００は、蓋部１４０によって、空洞１３１外に移動することが防止される。蓋部１４０は、ヒンジ１２７によって回転可能に支持される。蓋部１４０およびテンプル１２６は、ヒンジ１２７によって共通の支軸の回りに回転可能に支持される。蓋部１４０およびテンプル１２６は、当該支軸の回りに独立して回転する。
【００２０】
蓋部１４０は、ヒンジ１２７に対して回転移動することによって、保液シート２００が空洞１３１内と空洞１３１外との間を移動することを可能にする開状態と、空洞１３１内に配置された保液シート２００が空洞１３１外に移動することを防止する閉状態とが切り替わる。蓋部１４０は、切替部材の一例である。開状態は、可能状態の一例である。閉状態は、防止状態の一例である。
【００２１】
蓋部１４０は、開口１４１を有する。開口１４１の大きさは、保液シート２００の面積よりも小さい。フレーム１２０が装着者の顔部に装着されている場合に、開口１４１は、空洞１３１から顔部へ気体を通過させる。保液シート２００が空洞１３１内に配置されている場合、保液シート２００に保持された液体は気化して開口１４１を通じて装着者の顔部へ提供される。開口１４１は、気体透過部の一例である。
【００２２】
図１では、右側の智部１２４の内側の構成について主に説明しているが、左側の智部１２４の内側も、右側の智部１２４の内側の構成と同様であってよい。
【００２３】
図２および図３は、智部１２４の内側構成の一例を概略的に示す。図２は、空洞１３１を図示すべく蓋部１４０を省略して図示している。空洞１３１には、保液シート２００が配置される。空洞１３１の内面は撥水処理が施されていてもよい。空洞１３１の内面は抗菌処理が施されていてもよい。
【００２４】
開状態の蓋部１４０が、ヒンジ１２７に対して回転移動して、ヒンジ１２７に支持されている側とは反対側が空洞１３１内に収まることによって、蓋部１４０が閉状態となる。閉状態において空洞１３１の内面と蓋部１４０とが互いに押圧することによって所定の力以上の力が加わらない限り閉状態が解除されない構成が採用されてよい。
【００２５】
なお、開状態の蓋部１４０がヒンジ１２７に対して回転移動して、ヒンジ１２７に支持されている側とは反対側の一部が智部１２４の一部と噛み合うことによって、閉状態となってもよい。蓋部１４０の一部と智部１２４の一部とを噛み合わせることによって、所定の力以上の力が加わらない限り閉状態が解除できないようにすることができる。
【００２６】
噛み合わせは、蓋部１４０が凸部を有することによって実現されてよい。また、噛み合わせは、空洞１３１の内面が凸部を有することによって実現されてもよい。また、噛み合わせは、蓋部１４０と空洞１３１の内面との両方が凸部を有することによって実現されてもよい。また、噛み合わせは、蓋部１４０および空洞１３１の内面のうち一方が凸部を有し他方が凹部を有することによって実現されてもよい。これら凸部は、弾性を有していてよい。
【００２７】
蓋部１４０は、開口１４１を有する。開口１４１の面積は保液シート２００の面積よりも小さく、空洞１３１内に配置された保液シート２００は、開口１４１を介して空洞１３１外には移動できない。すなわち、蓋部１４０は、開口１４１を除く枠状部材によって、空洞１３１内に配置された保液シート２００が空洞１３１外に移動することを防止する。そして、保液シート２００が空洞１３１内に配置されている場合、保液シート２００に保持された液体は気化して開口１４１を通じて装着者の顔部へ提供される。
【００２８】
蓋部１４０は、ヒンジ１２７によって回転可能に支持される。蓋部１４０は、智部１２４およびテンプル１２６の双方に対して可動に支持される。具体的には、蓋部１４０は、智部１２４およびテンプル１２６に対して、ヒンジ１２７の回りに独立して回転する。このように、本実施形態における蓋部１４０は、テンプル１２６を回転可能に支持するヒンジ１２７によって回転可能に支持されるので、蓋部１４０を回転可能に支持する他の軸を有する場合と比較して、部品点数を減らすことができる。
【００２９】
メガネ１００の装着者は、蓋部１４０を開状態にすることによって、保液シート２００を容易にメガネ１００から着脱することができる。例えば、装着者は、空洞１３１内に配置されている保液シート２００が乾燥した場合、蓋部１４０を開状態にして保液シート２００を取り出し、保液シート２００を湿らせて空洞１３１に戻すことによって、保液シート２００による加湿機能を容易に復元することができる。また、装着者は、空洞１３１内に配置されている保液シート２００を容易に他の保液シート２００に交換することができる。
【００３０】
なお、装着者は、空洞１３１内に保液シート２００が配置されている状態で、開口１４１を介して、保液シート２００に液体を供給してもよい。装着者は、スポイト等の液体注入器具を用いて、保液シート２００に液体を供給し得る。
【００３１】
空洞１３１は、フード１２５によって覆われる位置に配置されてよい。これにより、空洞１３１内に配置された保液シート２００から蒸発した気体が拡散することを抑制できる。
【００３２】
図４は、蓋部１４０の一例を概略的に示す。図４は、蓋部１４０の上面図と、当該上面図において示されている一点鎖線における断面図とを含む。図４に示すように蓋部１４０は、ヒンジ１２７によって支持される第１端部１４３とは反対側の第２端部１４４に、第１端部１４３の方向に突出した爪部１４２を有してよい。
【００３３】
図１から図３に示したように、第２端部１４４は、レンズ１１０に近接している。したがって、レンズ１１０と第２端部１４４との間に指を挿入して蓋部１４０を開けるような構造とした場合、蓋部１４０を開けにくく、かつ、予期せずに指がレンズ１１０に当接してレンズ１１０が汚れてしまう恐れがある。それに対して、図４に示すような爪部１４２を有することによって、第１端部１４３側から爪部１４２に指を当接させて、蓋部１４０を開けられる構造とすることができるので、蓋部１４０を開けやすくすることができ、かつ、レンズ１１０が汚れてしまうことを防止できる。
【００３４】
図５および図６は、空洞１３１の一例を概略的に示す。図５は、空洞１３１の上面図と、当該上面図において示されている一点鎖線における断面図とを含む。図６は、蓋部１４０が閉状態である場合の空洞１３１の上面図と、当該上面図において示されている一点鎖線における断面図とを含む。
【００３５】
空洞１３１は、内部に台座部１３５を有する。台座部１３５は、保液シート２００の位置決めをサポートするとともに、蓋部１４０の台座として機能してよい。例えば、メガネ１００の装着者は、保液シート２００の先端を台座部１３５の側面に当接させて、保液シート２００の全体を空洞１３１内に配置することにより、保液シート２００を容易にかつ適切な位置に配置することができる。また、蓋部１４０の下面と台座部１３５の上面とが当接することにより、蓋部１４０が必要以上に空洞１３１内に入りこむことを適切に防止することができる。
【００３６】
図７および図８は、テンプル１２６の内側構成の他の一例を概略的に示す。ここでは、図２および図３とは異なる点を主に説明する。図７および図８では、空洞１３３がテンプル１２６に形成され、テンプル１２６側に蓋部１４０が配置される。
【００３７】
空洞１３３には、保液シート２００が配置される。空洞１３３の内面は撥水処理が施されていてもよい。空洞１３３の内面は抗菌処理が施されていてもよい。
【００３８】
開状態の蓋部１４０が、ヒンジ１２７に対して回転移動して、ヒンジ１２７に支持されている側とは反対側が空洞１３３内に収まることによって、蓋部１４０が閉状態となる。閉状態において空洞１３３の内面と蓋部１４０とが互いに押圧することによって、所定の力以上の力が加わらない限り閉状態が解除されない構成が採用されてよい。また、開状態の蓋部１４０がヒンジ１２７に対して回転移動して、ヒンジ１２７に支持されている側とは反対側の一部が智部１２４の一部と噛み合うことによって、閉状態となってもよい。
【００３９】
噛み合わせは、蓋部１４０が凸部を有することによって実現されてよい。また、噛み合わせは、空洞１３３の内面が凸部を有することによって実現されてもよい。また、噛み合わせは、蓋部１４０と空洞１３３の内面との両方が凸部を有することによって実現されてもよい。また、噛み合わせは、蓋部１４０および空洞１３３の内面のうち一方が凸部を有し他方が凹部を有することによって実現されてもよい。
【００４０】
保液シート２００が空洞１３３内に配置されている場合、保液シート２００に保持された液体は気化して開口１４１を通じて装着者の顔部へ提供される。
【００４１】
蓋部１４０は、ヒンジ１２７によって回転可能に支持される。蓋部１４０は、智部１２４およびテンプル１２６の双方に対して可動に支持される。具体的には、蓋部１４０は、智部１２４およびテンプル１２６に対して、ヒンジ１２７の回りに独立して回転する。
【００４２】
図７および図８では、右側のテンプル１２６の内側の構成について主に説明しているが、左側のテンプル１２６の内側も、右側のテンプル１２６の内側の構成と同様であってよい。
【００４３】
図９および図１０は、智部１２４の外側構成の一例を概略的に示す。図９及び図１０は、メガネ１００の右側を省略して図示しているが、メガネ１００の右側の構成は、メガネ１００の左側の構成と同様であってよい。
【００４４】
図９は、空洞１３１を図示すべく、蓋部１４５を省略して図示している。蓋部１４５の構造は、開口１４１を有さないこと以外は蓋部１４０と同一であってよい。
【００４５】
図１から図３では、智部１２４の内側に空洞１３１および蓋部１４０を備える例を挙げて説明したが、メガネ１００は、図９および図１０に示すように智部１２４の外側に空洞１３１および蓋部１４５を備えてもよい。ここでは、図１から図３に示す構成とは異なる部分を主に説明する。
【００４６】
フレーム１２０は、空洞１３１と智部１２４の内側との間を貫通する開口１３２を有する。開口１３２は、気体透過部の一例である。開口１３２の面積は保液シート２００の面積よりも小さく、空洞１３１内に配置された保液シート２００は、開口１３２を介して空洞１３１外には移動できない。保液シート２００が空洞１３１内に配置されている場合、保液シート２００に保持された気体は気化して、開口１３２を通じて装着者の顔部に提供される。
【００４７】
蓋部１４５は、ヒンジ１２７によって回転可能に支持される。蓋部１４５は、智部１２４およびテンプル１２６の双方に対して可動に支持される。具体的には、蓋部１４５は、智部１２４およびテンプル１２６に対して、ヒンジ１２７の回りに独立して回転する。
【００４８】
図１１および図１２は、テンプル１２６の外側構成の一例を概略的に示す。図９及び図１０は、メガネ１００の右側を省略して図示しているが、メガネ１００の右側の構成は、メガネ１００の左側の構成と同様であってよい。図１１は、空洞１３３を図示すべく、蓋部１４５を省略して図示している。
【００４９】
図７および図８では、テンプル１２６の内側に空洞１３３および蓋部１４０を備える例を挙げて説明したが、メガネ１００は、図１１および図１２に示すようにテンプル１２６の外側に空洞１３３および蓋部１４５を備えてもよい。ここでは、図７および図８に示す構成とは異なる部分を主に説明する。
【００５０】
フレーム１２０は、空洞１３３と智部１２４の内側との間を貫通する開口１３４を有する。開口１３４は、気体透過部の一例である。開口１３４の面積は保液シート２００の面積よりも小さく、空洞１３３内に配置された保液シート２００は、開口１３４を介して空洞１３３外には移動できない。保液シート２００が空洞１３３内に配置されている場合、保液シート２００に保持された気体は気化して、開口１３４を通じて装着者の顔部に提供される。
【００５１】
蓋部１４５は、ヒンジ１２７によって回転可能に支持される。蓋部１４５は、智部１２４およびテンプル１２６の双方に対して可動に支持される。具体的には、蓋部１４５は、智部１２４およびテンプル１２６に対して、ヒンジ１２７の回りに独立して回転する。
【００５２】
図１から図３において、智部１２４の内側に空洞１３１および蓋部１４０を有する例、図７および図８において、テンプル１２６の内側に空洞１３３および蓋部１４０を有する例、図９および図１０において、智部１２４の外側に空洞１３１および蓋部１４５を有する例、図１１および図１２において、テンプル１２６の外側に空洞１３３および蓋部１４５を有する例を説明した。本実施形態に係るメガネ１００は、智部１２４の内側に空洞１３１および蓋部１４０を有し、かつ、テンプル１２６の内側に空洞１３３および蓋部１４０を有してもよい。また、本実施形態に係るメガネ１００は、智部１２４の内側に空洞１３１および蓋部１４０を有し、かつ、テンプル１２６の外側に空洞１３３および蓋部１４５を有してもよい。また、本実施形態に係るメガネ１００は、智部１２４の外側に空洞１３１および蓋部１４５を有し、かつ、テンプル１２６の内側に空洞１３３および蓋部１４０を有してもよい。また、本実施形態に係るメガネ１００は、智部１２４の外側に空洞１３１および蓋部１４５を有し、かつ、テンプル１２６の外側に空洞１３３および蓋部１４５を有してもよい。
【００５３】
上記実施形態では、蓋部１４０がヒンジ１２７によって支持される例を挙げて説明したが、これに限らない。蓋部１４０は、フレーム１２０が有するヒンジ１２７以外の軸によって支持されてもよい。例えば、智部１２４の内側に配置された蓋部１４０は、リム１２２と空洞１３１との間に位置する軸によって、可動に支持される。
【００５４】
また、上記実施形態では、蓋部１４０がヒンジ１２７に対して回転移動する例を主に挙げて説明したが、これに限らない。蓋部１４０は、空洞１３１に対してスライドすることによって、開状態と閉状態とが切り替わってもよい。
【００５５】
例えば、空洞１３１が智部１２４に配置され、蓋部１４０または蓋部１４５は、智部１２４の表面に沿ってスライドする。蓋部１４０または蓋部１４５は、例えば、リム１２２から智部１２４が突き出る方向およびその逆方向に、智部１２４の表面に沿ってスライドする。また、蓋部１４０または蓋部１４５は、例えば、メガネ１００の上下方向に、智部１２４の表面に沿ってスライドする。
【００５６】
具体例として、空洞１３１が智部１２４の内側に配置され、蓋部１４０が、リム１２２から智部１２４が突き出る方向およびその逆方向に、智部１２４の内側表面に沿ってスライドしてよい。また、空洞１３１が智部１２４の外側に配置され、蓋部１４５が、リム１２２から智部１２４が突き出る方向およびその逆方向に、智部１２４の外側表面に沿ってスライドしてよい。
【００５７】
また、例えば、空洞１３３がテンプル１２６に配置され、蓋部１４０または蓋部１４５は、テンプル１２６の表面に沿ってスライドする。蓋部１４０または蓋部１４５は、例えば、テンプル１２６の長手方向に、テンプル１２６の表面に沿ってスライドする。また、蓋部１４０または蓋部１４５は、例えば、メガネ１００の上下方向に、テンプル１２６の表面に沿ってスライドする。
【００５８】
具体例として、空洞１３３がテンプル１２６の内側に配置され、蓋部１４０が、テンプル１２６の長手方向に、テンプル１２６の内側表面に沿ってスライドしてよい。また、空洞１３３がテンプル１２６の外側に配置され、蓋部１４５が、テンプル１２６の長手方向に、テンプル１２６の外側表面に沿ってスライドしてよい。
【００５９】
また、蓋部１４０が、任意の方向から空洞１３１に対してはめ込まれる構成を採用してもよい。例えば、蓋部１４０が弾性を有して、蓋部１４０が空洞１３１にはめ込まれた場合に、蓋部１４０の側面と空洞１３１の内面とが、蓋部１４０が有する弾性よって互いに押圧することによって、蓋部１４０が空洞１３１に対して固定され、閉状態となる。
【００６０】
また、蓋部１４０の一部と、空洞１３１の内面の一部とが噛み合うことによって、閉状態となってもよい。噛み合わせは、蓋部１４０が凸部を有することによって実現されてよい。また、噛み合わせは、空洞１３１の内面が凸部を有することによって実現されてもよい。また、噛み合わせは、蓋部１４０と空洞１３１の内面との両方が凸部を有することによって実現されてもよい。また、噛み合わせは、蓋部１４０および空洞１３１の内面のうち一方が凸部を有し他方が凹部を有することによって実現されてもよい。
【００６１】
以上に説明した実施形態において、アイウエアが、メガネである場合について説明した。メガネは、装着者の目の屈折異常を補正したり、装着者の目を保護したり、着飾ったりすること等を更なる目的としても利用され得る。しかし、アイウエアはメガネに限定されない。アイウエアは、目に関連する装具であればよく、メガネ、サングラス、ゴーグル、ヘッドマウントディスプレイなどの顔面装着具または頭部装着具であってよい。アイウエアは、顔面装着具または頭部装着具のフレームまたは当該フレームの一部であってもよい。アイウエアに適用される光学部材としては、レンズ特性に限らず、アイウエアの使用目的に応じた光学特性を持つ光学部材を適用できる。
【００６２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６４】
１００  メガネ、１１０  レンズ、１２０  フレーム、１２１  ノーズパッド、１２２  リム、１２３  ブリッジ、１２４  智部、１２５  フード、１２６  テンプル、１２７  ヒンジ、１３１  空洞、１３２  開口、１３３  空洞、１３４  開口、１３５  台座部、１４０  蓋部、１４１  開口、１４２  爪部、１４３  第１端部、１４４  第２端部、１４５  蓋部、２００  保液シート
【図１】
2019061153.tif 000003
【図２】
2019061153.tif 000004
【図３】
2019061153.tif 000005
【図４】
2019061153.tif 000006
【図５】
2019061153.tif 000007
【図６】
2019061153.tif 000008
【図７】
2019061153.tif 000009
【図８】
2019061153.tif 000010
【図９】
2019061153.tif 000011
【図１０】
2019061153.tif 000012
【図１１】
2019061153.tif 000013
【図１２】
2019061153.tif 000014
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
保液部材が配置される空洞を有するフレームと、
前記保液部材が前記空洞内と前記空洞外との間を移動することを可能にする可能状態と、前記空洞内に配置された前記保液部材が前記空洞外に移動することを防止する防止状態とが切り替わる切替部材と、
前記フレームが顔部に装着されている場合に、前記空洞から前記顔部へ気体を透過させる気体透過部と
を備え、
前記切替部材は、前記保液部材を保持することなく移動することによって、前記可能状態と前記防止状態とが切り替わり、
前記切替部材は、前記フレームの智部または前記フレームのテンプルに配置され、
前記テンプルは、前記フレームが有するヒンジによって、前記智部に対して可動に前記智部に支持され、
前記切替部材および前記テンプルは、前記ヒンジによって共通の支軸の回りに回転可能に支持され、
前記切替部材は、前記ヒンジに対して回転移動することによって前記可能状態と前記防止状態とが切り替わり、前記ヒンジによって、前記保液部材が前記空洞内と前記空洞外との間を移動することを可能にする位置と、前記空洞内に配置された前記保液部材が前記空洞外に移動することを防止する位置との間で可動に支持される、アイウエア。
【請求項２】
前記切替部材および前記テンプルは、前記支軸の回りに独立して回転する
請求項１に記載のアイウエア。
【請求項３】
前記空洞および前記切替部材は、前記フレームの智部の内側に配置され、
前記気体透過部は、前記切替部材を貫通する開口部である、請求項１に記載のアイウエア。
【請求項４】
前記切替部材は、前記ヒンジに支持されている第１端部とは反対側の第２端部に、前記第１端部の方向に突出した爪部を有する、請求項３に記載のアイウエア。
【請求項５】
前記空洞および切替部材は、前記フレームのテンプルの内側に配置され、
前記気体透過部は、前記切替部材を貫通する開口である、請求項１に記載のアイウエア。
【請求項６】
前記空洞および切替部材は、前記フレームの智部の外側に配置され、
前記気体透過部は、前記空洞と前記智部の内側との間を貫通する開口である、請求項１に記載のアイウエア。
【請求項７】
前記空洞および切替部材は、前記フレームのテンプルの外側に配置され、
前記気体透過部は、前記空洞と前記テンプルの内側との間を貫通する開口である、請求項１に記載のアイウエア。
【請求項８】
前記空洞は、前記フレームの智部の内側または外側に配置された第１空洞と、前記フレームのテンプルの内側または外側に配置された第２空洞とを含み、
前記切替部材は、前記フレームの智部の内側または外側に配置された第１切替部材と、前記フレームのテンプルの内側または外側に配置された第２切替部材とを含む、請求項１に記載のアイウエア。
【請求項９】
前記第１空洞および前記第１切替部材は、前記智部の内側に配置され、
前記第２空洞および前記第２切替部材は、前記テンプルの内側に配置され、
前記気体透過部は、前記第１切替部材を貫通する第１開口と、前記第２切替部材を貫通する第２開口とを含む、請求項８に記載のアイウエア。
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
保液部材が配置される空洞を有するフレームと、
前記保液部材が前記空洞内と前記空洞外との間を移動することを可能にする可能状態と、前記空洞内に配置された前記保液部材が前記空洞外に移動することを防止する防止状態とが切り替わる切替部材と、
前記フレームが顔部に装着されている場合に、前記空洞から前記顔部へ気体を透過させる気体透過部と
を備え、
前記切替部材は、前記保液部材を保持することなく移動することによって、前記可能状態と前記防止状態とが切り替わり、
前記フレームのテンプルは、前記フレームが有するヒンジによって、前記フレームの智部に対して可動に前記智部に支持され、
前記切替部材および前記テンプルは、前記ヒンジによって共通の支軸の回りに回転可能に支持され、
前記切替部材は、前記ヒンジに対して回転移動することによって前記可能状態と前記防止状態とが切り替わり、前記ヒンジによって、前記保液部材が前記空洞内と前記空洞外との間を移動することを可能にする位置と、前記空洞内に配置された前記保液部材が前記空洞外に移動することを防止する位置との間で可動に支持され、
前記空洞および前記切替部材は、前記フレームの智部の内側に配置され、
前記気体透過部は、前記切替部材を貫通する開口部であり、
前記切替部材は、前記ヒンジに支持されている第１端部とは反対側の第２端部に、前記第１端部の方向に突出した爪部を有する、アイウエア。
【請求項２】
前記切替部材は、前記第２端部の、前記防止状態において前記空洞側に位置する面とは反対側の面に、前記爪部を有する、請求項１に記載のアイウエア。
【請求項３】
前記切替部材および前記テンプルは、前記支軸の回りに独立して回転する
請求項１又は２に記載のアイウエア。